(57)【要約】【課題】伸縮式配管に回動可能に配管設備を接続し、バスケット支持機構に取付けた配管設備により、バスケット内で使用する機器の給水側配管の接続が容易にできる消防用梯子車を提供する。【解決手段】バスケット８を取り付けたバスケット支持機構７が伸縮式梯子６の先端部分に回動軸７ａで軸支され、バスケット支持機構７を回動させてバスケット８の位置を変位させるとともに、伸縮式梯子６の伸縮動作に連動して伸縮するように構成された伸縮式配管１４を備えた消防用梯子車であって、バスケット支持機構７に配管設備１９を固定し、伸縮式配管１４を構成している最上段の配管１４ｅの先端を配管設備１９の末端に回動可能に接続した。【選択図】  図２
2004321541.tif 000002
【特許請求の範囲】
【請求項１】
車体に縦軸中心に回転する旋回台の横軸中心に揺動可能に取り付けられる旋回台の横軸中心に揺動可能に取り付けられて支持される支持台に伸縮式梯子が取り付けられると共に前記旋回台に伸縮式配管が取付けられ、前記伸縮式梯子は連続する三面が梯子部材で短冊状に形成されて他の１面が開口した縦長の囲い柵形状の単位梯子を複数本有し、上段の単位梯子が伸びて伸張し、収縮時には上段の単位梯子が下段の単位梯子の囲い柵内に順次に収納されて最下段の単位梯子に全て収納されるように構成され、前記伸縮式配管は複数本の配管を有し、前記伸縮式梯子の伸縮動作に連動して伸縮するように構成され、バスケットを取り付けたバスケット支持機構が前記伸縮式梯子の先端部分に回動軸で軸支され、最上段の単位梯子を２番目の単位梯子の先端よりも前記バスケット支持機構の回動軸が突き出す位置まで伸ばして前記バスケット支持機構を回動軸で回動させて前記バスケットの位置を変位させる消防用梯子車であって、
前記バスケット支持機構に配管設備を固定し、前記伸縮式配管を構成している最上段の配管の先端を前記配管設備の末端に回動可能に接続したことを特徴とする消防用梯子車。
【請求項２】
伸縮式配管を構成している最上段の配管の先端とバスケット支持機構に配管設備を固定した配管設備の末端は、バスケット支持機構を回動させる最上段の単位梯子の先端の回動軸に同軸に取り付けられていることを特徴とする請求項１記載の消防用梯子車。
【請求項３】
バスケットに放水銃を取付け、該放水銃の給水部を可撓性を有する伸縮管で形成し、該伸縮管を前記配管設備の先端に取外し可能に取り付けたことを特徴とする請求項１又は２に記載の消防用梯子車。
【請求項４】
伸縮管は蛇腹の配管であることを特徴とする請求項１〜３のいずれか１項に記載の消防用梯子車。
【発明の詳細な説明】
【０００１】
【発明の属する技術分野】
本発明は、伸縮式梯子の先端に取り付けられるバスケットを梯子の伸縮により昇降させる消防用梯子車に関する。
【０００２】
【従来の技術】
この種の消防用梯子車では、伸縮式梯子の先端に取り付けられるバスケットに作業員が乗り込んで消火作業（および救出作業）を行っており、バスケット内で消火作業に使用する放水銃への給水は、伸縮式配管で行われている。（例えば特許文献１参照）
【０００３】
【特許文献１】
特許第２９７７５４７号公報
【０００４】
特許文献１に記載の消防車は、図５に示すように、バスケット３０の支持ブラケット３４が、最上段の単位ブーム３３ａの前端に支軸３１回りに揺動可能に取り付けられることで、バスケット３０が支持ブラケット３４を介してブーム３３の長手方向に直角な横方向に沿う支軸３１回りに揺動可能に取り付けられる。バスケット３０に放水銃４０が取り付けられている。その放水銃４０は、車体３２に内蔵された消防ポンプに流路４１を介して接続されている。その消防ポンプにより吐出される消火用流体が流路４１により放水銃４０に搬送される。その流路４１は、車体３２側に連結される車体側配管４４と、ブーム３３に同行揺動可能に連結されるブーム側配管４３と、そのバスケット３０に同行揺動可能に連結されるバスケット側配管４７とを有し、ブーム側配管４３の後端と車体側配管４４とは接続配管４５，４６で接続され、ブーム側配管４３の前端には支軸３１と同軸に連結管が固定されており、この連結管は継手配管でバスケット側配管４７に接続されている。ブーム側配管４３は複数の単位配管を長手方向に相対移動可能に連結することで構成されている。
【０００５】
最上段の単位ブーム３３ａの前端は最下段の単位梯子の下側まで突出していて、ブーム側配管４３は、単位ブーム３３ａが伸張していくと単位ブーム３３ａの前端の支軸３１に取付けられた先端の単位配管が引き出されていき、最下段の単位梯子の下側に取付けられている最下段の単位配管から各単位配管を直線状に順次、引き出せるように構成されている。
【０００６】
【発明が解決しようとする課題】
上記特許文献１に記載の消防車では、伸縮式のブーム側配管が複数の単位配管で構成されていて、ブーム側配管の先端の単位配管は、最上段の単位ブームの前端にまでしか引き出されない。そのため、バスケットをバスケット支持機構の先端に取付け、このバスケット支持機構の末端を伸縮式梯子の先端に回動軸で軸支して、バスケット支持機構を回動してバスケットを移動させる構成の消防用梯子車の場合には、バスケットへ乗り込む作業員は、バスケット内で消火作業に使用する放水銃の給水側とブーム側配管の先端の単位配管とを布製のホースの両端に接続して使用しているが、バスケットの取付けや取外しの際に、布製のホースの取付けや取外し作業を伴うため、バスケットに乗り込む作業員の負担が大きく改善が望まれていた。
【０００７】
本発明は、伸縮式配管に回動可能に配管設備を接続し、バスケット支持機構に取付けた配管設備により、バスケット内で使用する機器の給水側配管の接続が容易にできる消防用梯子車を提供することを目的とする。
【０００８】
【課題を解決するための手段】
請求項１記載の発明は、車体に縦軸中心に回転する旋回台の横軸中心に揺動可能に取り付けられる旋回台の横軸中心に揺動可能に取り付けられて支持される支持台に伸縮式梯子が取り付けられると共に前記旋回台に伸縮式配管が取付けられ、前記伸縮式梯子は連続する三面が梯子部材で短冊状に形成されて他の１面が開口した縦長の囲い柵形状の単位梯子を複数本有し、上段の単位梯子が伸びて伸張し、収縮時には上段の単位梯子が下段の単位梯子の囲い柵内に順次に収納されて最下段の単位梯子に全て収納されるように構成され、前記伸縮式配管は複数本の配管を有し、前記伸縮式梯子の伸縮動作に連動して伸縮するように構成され、バスケットを取り付けたバスケット支持機構が前記伸縮式梯子の先端部分に回動軸で軸支され、最上段の単位梯子を２番目の単位梯子の先端よりも前記バスケット支持機構の回動軸が突き出す位置まで伸ばして前記バスケット支持機構を回動軸で回動させて前記バスケットの位置を変位させる消防用梯子車であって、
前記バスケット支持機構に配管設備を固定し、前記伸縮式配管を構成している最上段の配管の先端を前記配管設備の末端に回動可能に接続したことを特徴とする消防用梯子車である。
【０００９】
また、請求項２記載の発明は、伸縮式配管を構成している最上段の配管の先端とバスケット支持機構に配管設備を固定した配管設備の末端は、バスケット支持機構を回動させる最上段の単位梯子の先端の回動軸に同軸に取り付けられていることを特徴とする請求項１記載の消防用梯子車である。
【００１０】
また、請求項３記載の発明は、バスケットに放水銃を取付け、該放水銃の給水部を可撓性を有する伸縮管で形成し、該伸縮管を前記配管設備の先端に取外し可能に取り付けたことを特徴とする請求項１又は２に記載の消防用梯子車である。
【００１１】
また、請求項４記載の発明は、伸縮管は蛇腹の配管であることを特徴とする請求項１〜３のいずれか１項に記載の消防用梯子車である。
【００１２】
【発明の実施の形態】
以下、図面を参照して本発明の実施形態を説明する。図１は本発明の実施形態に係る消防用梯子車の一部省略側面図、図２は図１に丸で示したＡ部の拡大図、図３は図１に示した伸縮式梯子のＢ矢視図、図４は図１に示したバスケット支持機構の回動時の概略図である。
【００１３】
図１〜図４において、図示しない消防用梯子車１は、車体２に縦軸中心に回転可能に取り付けられる旋回台３と、この旋回台３の横軸４中心に揺動可能に取り付けられて支持される支持台５と、この支持台５に取り付けられる伸縮可能な伸縮式梯子６とを備える。伸縮式梯子６は、伸縮式梯子は連続する三面が梯子部材で短冊状に形成されて他の１面が開口した縦長の囲い柵形状の単位梯子を複数本有し、支持台５に固定される最下段の単位梯子６ａと、この単位梯子６ａに長手方向に移動可能に取り付けられる２段目から最上段までの複数本（図では４本）の単位梯子６ｂ〜６ｅと、バスケット（高所作業用移動体）８を取り付けたバスケット支持機構７が最上段の単位梯子６ｅの先端に回動軸７ａで軸支され、そのバスケット８に高所作業時に作業員が乗り込み可能とされている。
【００１４】
また、旋回台３には、互いに回動可能に接続された一組の継手配管１１，１２の回動軸が旋回台３の横軸４中心に同軸に取り付けられていて、車体２に縦軸中心に回転可能に取り付けられた車体側配管１０が下側の継手配管１１に接続されている。上側の継手配管１２には、Ｕ字に形成された連結管１３の末端が接続されている。
【００１５】
連結管１３の先端は、複数の単位配管１４ａ〜１４ｅからなる伸縮式配管１４の最下段の単位配管１４ａの末端に接続されている。伸縮式配管１４を構成する複数の単位配管１４ａ〜１４ｅの末端は、フランジ１５ａ又はフランジ筒１５ｂ〜１５ｅとなっており、最下段の単位配管１４ａの末端のフランジ１５ａは支持台５又は最下段の単位梯子６ａの末端に固定具（図では金具）１６ａで固定されている。複数の単位配管１４ｂ〜１４ｅの末端のフランジ筒１５ｂ〜１５ｅは、それぞれ単位梯子６ｂ〜６ｅの末端に固定具（図ではバンド）１６ｂ〜１６ｅで固定されている。
【００１６】
バスケット８には、図示が省略されているが、梯子駆動装置、バスケット変位装置およびバスケット平衡装置を作動、停止させる遠隔操作装置（リモートコントローラ）が設けられている。また、リフタ９は別の救出員（作業員）が乗り込み、伸縮式梯子６の先端に上昇させて、救出を求めている人をリフタ９に乗り移らせ、リフタ９を下降させることにより、順次救出、脱出させるものである。
【００１７】
消防用梯子車１は、現場へ到着すると、伸縮式梯子をある程度延ばして最上段の単位梯子６ｅの先端に軸支されたバスケット支持機構７を単位梯子６ｅの先端の位置から回動させ、バスケット８の位置が地上に近付くように変位させてから作業員がバスケットに乗り込んでいる。そして、バスケット８はフェンス、手すり、塀等の障害物を乗り越えて屋上に配置され、バスケット８に乗った作業員が消火作業（および救出作業）を行っている。ここでは、バスケット８及びバスケット支持機構７の動作について説明する。
【００１８】
図４に示すように、最上段の単位梯子６ｅの先端には、バスケット支持機構７の一対の側柱の基端（後下端）が回動軸７ａで軸支されて、単位梯子６ｅの先端で回動可能となっている。バスケット支持機構７を駆動する場合、最上段の単位梯子６ｅを、下段の単位梯子６ａ〜６ｄの各先端よりもバスケット支持機構７の回動軸７ａが突き出す位置まで伸ばす。そして、バスケット支持機構７が下段の単位梯子６ａ〜６ｄに当らなくなった状態で、バスケット支持機構７を駆動する。
【００１９】
最上段の単位梯子６ｅの先端には所定角度だけ回動可能にシリンダ５０が取付けられており、このシリンダ５０の出力軸５１の先端に回動可能にバスケット支持機構７の基端（後上端）が取付けられている。図１では、シリンダ５０の出力軸５１は縮小しており、バスケット支持機構７は最上段の単位梯子６ｅの先端に直結して固定されている。伸縮式梯子６を操作するオペレータは、バスケット支持機構７が最上段から２番目の単位梯子６ｄに当らなくなり、バスケット支持機構７を回動できるようになると、シリンダ５０の出力軸５１を伸張させてバスケット支持機構７を回動軸７ａで回動させてバスケット８の位置が地上に近付くように変位させて、作業員がバスケットに乗り込むようにしている。
【００２０】
伸縮式梯子６は、上段の単位梯子が伸びて下段の単位梯子を引き出しながら伸張し、収縮時には上段の単位梯子が下段の単位梯子の囲い柵内に順次に収納されて最下段の単位梯子６ａに全て収納されるように構成されている。また、伸縮式配管１４の最下段の単位配管１４ａの末端のフランジ１５ａは支持台５又は最下段の単位梯子６ａの末端に固定具（図では金具）１６ａで固定され、伸縮式配管１４を構成する他の単位配管１４ｂ〜１４ｅの末端のフランジ筒１５ｂ〜１５ｅがそれぞれバンド１６ｂ〜１６ｅで伸縮式梯子６の各単位梯子６ｂ〜６ｅの末端に固定されているので、単位梯子６ｂ〜６ｅが伸びて伸張していくと、伸縮式配管１４を構成する単位配管１４ｂ〜１４ｅは、最上段の単位配管１４ｅから引き出されて伸縮式梯子６の各単位梯子６ｂ〜６ｅの伸張動作に連動して伸張していく。
【００２１】
バスケット支持機構７の後下端の回動軸７ａには、一組の継手配管１６，１７が同軸に取り付けられて互いに回動可能に接続されている。そして、継手配管１７の前方には、２本の配管を鈍角に接続してなる配管１８の末端が接続されている。配管１８の先端１８ａはバスケット支持機構７の前端に取付けられており、継手配管１７、配管１８は配管設備１９を構成する。配管設備１９は、常時は、バスケット支持機構７に固定されているが、メンテナンスの必要が生じれば取外しも可能である。
【００２２】
一方、最上段の配管１４ｅの先端には、連結管１５が接続されており、連結管１５が継手配管１６に接続されることで、配管設備１９の末端である継手配管１７が継手配管１６、連結管１５を介して伸縮式配管１４に対して回動可能に接続される。
【００２３】
伸縮式配管１４の各単位配管１４ａ〜１４ｅでは上段の配管が伸びて伸張していくが、収縮時には上段の配管内に下段の配管が順次に収納されて最上段の配管１４ｅに全て収納される。
【００２４】
バスケット８には、操作レバー２０ａで放水方向を操作できる放水銃２０を取付けてある。放水銃２０の給水側は給水用配管２１に取付けられて放水銃２０の給水部を構成している。この給水用配管２１には蛇腹の配管２２が取付けられている。蛇腹の配管２２は、可撓性を有する伸縮管であり、図１に示すように、消防用梯子車が走行する際には放水銃２０に取り付けた状態であるか、又は、放水銃２０から取り外した単品でバスケット８に載置されている。そして、図４に示すように、蛇腹の配管２２は、バスケット支持機構７を駆動する際には、放水銃２０に一端を取り付けた状態で、バスケット支持機構７の前端に取付けられた配管設備１９の配管１８の先端１８ａに他端を取外し可能に取付けられて消火作業に使用される。
【００２５】
配管設備１９の配管１８の先端１８ａは蛇腹の配管２２の着脱用の操作レバー２３が設けられており、消火作業の開始時、終了時の蛇腹の配管２２の取付け、取外しが容易に行えるようになっており、バスケット内で使用する放水銃の給水側配管の接続がバスケット内から容易にできるため、バスケットに乗り込む作業員の負担が軽減される。
【００２６】
なお、図１，図４の例では、配管設備１９と伸縮式配管１４を構成する最上段の単位配管１４ｅとを継手配管１６，１７で接続し、この継手配管１６，１７の回動軸はバスケット支持機構７の後下端の回動軸７ａに同軸に取り付けられて互いに回動可能に接続されている構成を説明したが、バスケット支持機構７の回動軸７ａと同軸に取り付けられていなくてもよく、継手配管１６，１７の回動軸はバスケット支持機構７の後下端の回動軸７ａと互いに回動可能な継手で接続されている構造であってもよい。
【００２７】
【発明の効果】
以上説明したように本発明では、最上段の配管の先端に配管設備の末端を回動可能に接続し、配管設備をバスケット支持機構に固定して、バスケット支持機構を回動させると、バスケット支持機構に固定した配管設備も連動して回動し、この配管設備の先端は、バスケットに近接するバスケット支持機構の先端に取付けることができる。そのため、バスケットに放水銃を持ちこんだり、放水銃を取付けたりして放水銃を使用する場合に、放水銃の給水側配管の接続がバスケット内から容易にできるため、バスケットに乗り込む作業員の負担が軽減される等優れた効果を奏する。
【図面の簡単な説明】
【図１】本発明の実施形態に係る消防用梯子車の側面図である。
【図２】図１に丸で示したＡ部の拡大図である。
【図３】図１に示した伸縮式梯子のＢ矢視図である。
【図４】図１に示したバスケット支持機構の回動時の概略図である。
【図５】従来の消防用梯子車の概略図である。
【符号の説明】
１  消防用梯子車
２  車体
３  旋回台
４  横軸
５  支持台
６  伸縮式梯子
６ａ〜６ｅ  単位梯子
７  バスケット支持機構
７ａ  回動軸
８  バスケット
９  リフタ
１０  車体側配管
１１，１２，１６，１７  継手配管
１３  連結管
１４  伸縮式配管
１４ａ〜１４ｅ  単位配管
１５ａ  フランジ
１５ｂ〜１５ｅ  フランジ筒
１６ａ〜１６ｅ  固定具
１８  配管
１８ａ  先端
１９  配管設備
２０  放水銃
２０ａ  操作レバー
２１  給水用配管
２２  蛇腹の配管
５０  シリンダ
５１  出力軸
【図１】
2004321541.tif 000003
【図２】
2004321541.tif 000004
【図３】
2004321541.tif 000005
【図４】
2004321541.tif 000006
【図５】
2004321541.tif 000007